(57)【要約】【課題】本発明は、食物の表面を焦がしたり煙を発生しないで食物の上部と内部及び下部を同時に均等に焼くことができ、さらには調理目的により互いに異なる構造の回転パンを選択することによって、食物を焼く用途以外に煮込み用途にも便利に使用できる赤外線加熱調理器を提供する。【解決手段】本発明による赤外線加熱調理器は、赤外線ランプが調理用回転パン（Ｒｏｔａｔｉｎｇ  ｐａｎ）上に赤外線を直接照射して、食物の上部及び内部に火を通し、同時に前記赤外線ランプによって加熱された回転パンが食物の下部を焼くことで、結果的に食物の表面を焦がしたり煙が発生せず食物の上部と内部及び下部を同時に均等に焼くことができ、さらには調理目的に合わせて互いに異なる構造の回転パンを選択して、食物を焼く用途はもちろん煮込み用途にも便利に使用できる赤外線加熱料理器である。【選択図】図１
2011501095.tif 000002
【特許請求の範囲】
【請求項１】
上面の中央に軸孔が形成され、一側に電源を制御するスイッチが備えられた受け台と、
上面に食物が入れられる円板型容器、及び下面の中央に前記軸孔と分離可能に挿入される軸突起が形成され、赤外線を受けて加熱される回転パンと、
前記受け台の一側に縦方向に設置される支持台と、
前記支持台の上段に設置され、電源が印加されて前記回転パンに向かって赤外線を照射する赤外線照射部とを備えることを特徴とする赤外線加熱調理器。
【請求項２】
前記受け台には内部から引出可能に油受け取り部材がさらに含み、
前記回転パンの軸突起には軸方向に油排出孔が形成されることを特徴とする請求項１に記載の赤外線加熱調理器。
【請求項３】
前記受け台と前記回転パンには電源を利用して前記回転パンを自動的に回転させる回動手段がさらに含まれることを特徴とする請求項１または２に記載の赤外線加熱調理器。
【請求項４】
前記支持は受け台の一側に設置される支持部材と、前記支持部材の内周面に沿って乗降可能に配置される高さ調節部材と、前記の支持部材に結合されて高さ調節部材を固定する高さ調節ねじからなることを特徴とする請求項１または２に記載の赤外線加熱調理器。
【請求項５】
前記赤外線照射部は、支持台に上段に設置されるランプ傘と、前記ランプ傘の内部に設置される赤外線ランプと、前記ランプ傘の内周面に設置される断熱板と、前記赤外線ランプの下部に分離可能に設置される耐熱ガラス板とからなることを特徴とする請求項１または２に記載の赤外線加熱調理器。
【発明の詳細な説明】
【技術分野】
【０００１】
本発明は、赤外線加熱調理器に関し、より詳細に説明すると、赤外線ランプが料理用回転パン（Ｒｏｔａｔｉｎｇ  ｐａｎ）上に赤外線を直接照射して食物の上部及び内部まで火を通し、それと同時に前記赤外線ランプによって加熱された回転パンが食物の下部まで焼くことによって、結果的に食物の表面を焦がしたり煙を発生しないで食物の上部と内部及び下部を同時に均等に焼くことができ、さらに料理目的により互いに異なる構造の回転パンを選択することによって、食物を焼く用途以外に煮込み用途にも便利に使用できる赤外線加熱調理器に関する。
【背景技術】
【０００２】
周知のように、赤外線（Ｉｎｆｒａｒｅｄ  ｒａｙｓ）は可視光線より波長が長く、極超短波よりは短い電磁波であり、概して７５０μｍ〜１ｍｍ程度の波長を有し、相対的に波長が短い近赤外線とこれより波長が長い遠赤外線に区分される。このような赤外線は肉眼では見られず、空気中で散乱し難く可視光線より透過力が強い特性があるため、産業的に、特に通信や医療分野において有効に使用されている。一方、赤外線は可視光線や紫外線に比べて強い熱作用を有し、これを利用した暖房用品や調理用品が多様に開発されている。従来に紹介された赤外線の熱作用を利用した調理用品としては、例えば、韓国登録特許第０７７９２２５号（公告日：２００７年１１月２８日）には、外部が石英管で構成された赤外線ランプと、前記赤外線ランプの上段に設置された焼き板と、前記赤外線ランプの下段に設置された反射板とで形成される赤外線肉焼き器が紹介されている。
【発明の概要】
【発明が解決しようとする課題】
【０００３】
しかし、前記肉焼き器は赤外線ランプが焼き板を加熱して、この焼き板が肉の下部だけを焼く一方向調理器であるため、肉をひっくり返さなければならない不便さがあって、さらに食物を煮込み用途では使えない短所があった。
【０００４】
また、韓国登録実用新案第３１４６０８号（公告日：２００３年５月２７日）には、焼き網の上部に適当な距離をおいて近赤外線ランプを設置して、このランプの上部には反射板を設置した肉類の焼き器が紹介されている。このような肉類焼き器は、焼き網の上に置かれた肉に直接近赤外線を照射して肉を焼くため、肉が焦げず、内部まで均等に火が通る長所がある。しかし、ランプから照射される近赤外線が肉の上部だけ焼くため、これも一方向加熱に過ぎず、しかも近赤外線ランプの高さ調節が不可で、食物を煮込み用途では使用できないなど、構造的に改善の余地がある。
【０００５】
このように従来に紹介された赤外線加熱調理器は、赤外線ランプから照射される赤外線で焼き板を加熱した後、この焼き板が食物の一面のみを直接焼く方式、または赤外線を食物の一面に直接照射する一方向加熱方式がほとんどであった。また、構造的に赤外線ランプの高さ調節が不可で、煮込み用途には使用できないなど、使用上不便な点が多くて、これを家庭用や業者用に使用するには適合しない問題があった。
【０００６】
本発明の目的は、食物の表面を焦がしたり煙を発生しないで食物の上部と内部及び下部を同時に均等に焼くことができ、さらには調理目的により互いに異なる構造の回転パンを選択することによって、食物を焼く用途以外に煮込み用途にも便利に使用できる赤外線加熱調理器を提供することである。
【課題を解決するための手段】
【０００７】
前記のような従来技術の問題を解決するために、本発明による赤外線加熱調理器は、上面中央に軸孔が形成され、一側に電源を制御するスイッチが具備された受け台と、上面に食物が入れられる円板型容器、下面の中央には前記軸孔に分離可能に挿入される軸突起が形成され、赤外線を受けると加熱される回転パンと、前記受け台の一側に縦方向に設置される支持台と、前記支持台の上段に設置されて電源を印加されて前記回転パンに向かって赤外線を照射する赤外線照射部とを有することを特徴とする。
【０００８】
また、本発明による赤外線加熱調理器は、追加的に前記受け台の内部に油受け取り部材が側面に引出可能に設置されて、前記回転パンの軸突起には軸方向に油排出孔が形成されたことを特徴とする。
【発明の効果】
【０００９】
本発明による赤外線加熱調理器は、赤外線ランプが回転パンに置かれた食物に赤外線を直接照射して食物の上部及び内部を焼き、同時に前記赤外線ランプによって加熱された回転パンが食物の下部を直接焼く両方向加熱方式であるため、熱効率が高く、食物を焦げずに全体的に均等に焼ける効果がある。
【００１０】
また、本発明による赤外線加熱調理器は、食物を煮込み用途に適合した煮込み用回転パンと焼く用途に適した焼き用回転パンが各々別に備えられて、魚や肉類など油気が多い食物を焼く用途以外にも、寄せ鍋やブルゴギなど汁がある食物を煮込み用途にも便利に使える。
【００１１】
最後に、本発明による赤外線加熱調理器は、赤外線ランプの高さ調節が容易で、回転パンが自動または受動で自由に回転でき、特に肉類焼き用に使う場合には受け台内部に油受け取り部材が配置されて、特に家庭用や業者用に非常に便利に使われる効果がある。
【図面の簡単な説明】
【００１２】
【図１】本発明に係る赤外線加熱調理器の斜視図である。
【図２】本発明の第１実施形態による調理器の断面図である。
【図３】本発明の第２実施形態による断面図である。
【図４】本発明の第３実施形態による断面図である。
【発明を実施するための形態】
【００１３】
以下、添付図面に基づいて本発明をより一層詳細に説明する。図１は本発明による赤外線加熱調理器の斜視図であり、図２は本発明の第１実施形態による調理器の断面図であり、図３は本発明の第２実施形態による断面図であり、図４は本発明の第３実施形態による断面図である。
【００１４】
本発明は図１に示したように、受け台１０が備えられ、この受け台１０の上部に回転パン２０、２０’が設置され、この受け台１０の一側に支持台３０が具備されて、前記支持台３０の上段には赤外線照射部４０が設置される構造を有する。この時、前記回転パン２０、２０’は調理目的に合わせて、寄せ鍋やブルゴギなど汁がある食物を煮込み用途に適した煮込み用の回転パン２０と、肉類や魚類などのように油が出る食物を焼く用途に適した焼き用回転パン２０’が別途に備えられる。
【００１５】
まず、受け台１０は内部に収容空間を有し、上面中央には軸孔１１が形成されて、一側には電源を制御するスイッチ１５が備えられる。そして、焼き用回転パン２０’を使う場合には、受け台１０の内部、即ち、前記軸孔１１の下部に油受け取り部材１２が配置される。前記油受け取り部材１２は、引き出し状に受け台１０の一側面を通して引き出し可能に設置される。そして、前記受け台１０に供給される電源としては、外部電源を使ってもよく、バッテリー（Ｂａｔｔｅｒｙ）を使ってもよい。
【００１６】
前記回転パン２０、２０’は上面に食物を入れる円板型容器であり、煮込み用の回転パン２０と焼き用回転パン２０’が別途に備えられる。まず、煮込み用の回転パン２０は、図２に示したように、釜蓋を引っくり返したように設置すると中央に軸突起２１が形成され、この軸突起２１は前記軸孔１１と分離可能に挿入される。また、焼き用回転パン２０’は図３に示したように、前記軸突起２１に軸方向に油排出孔２２が貫通される。
【００１７】
また、焼き用回転パン２０’を使う場合には、既に説明したように、前記受け台１０の内部、即ち、油排出孔２２の下部に油受け取り部材１２が配置される。
【００１８】
前記焼き用回転パン２０’の上面には油が流れ易いように油溝（図示せず）を形成したり、エンボシング部を形成してもよい。また、焼き用回転パン２０’の上面には、例えば、肉類や魚などが焦げたり、焦げ付かないように、テフロンコーティング（Ｔｅｆｌｏｎ  ｃｏａｔｉｎｇ）を行うのが望ましい。
【００１９】
本発明において、回転パン２０、２０’は受け台１０の上段に回転可能に設置される。このために前記軸孔１１と軸突起２１との間には、回転パン２０、２０’の回転を容易にするベアリング１３が設置される。また、前記回転パン２０、２０’はユーザが受動で回転させながら料理できるように構成しても良いが、図４に示したように、電源を利用して回転パン２０を自動で回転させる回動手段６０を設置してもよい。
【００２０】
前記回動手段６０は図４のように受け台１０の内部に設置されて、電源によって作動するモーター６１と、このモーター６１に連結される駆動ギア６２と、前記軸突起２１の外周面に設置される従動ギア６３と、前記駆動ギア６２と従動ギア６３との間に連結されるチェーン６４で形成される。しかし、前記回動手段６０が図４に限定されるのではない。一方、支持台３０は受け台１０の一側に縦方向に設置され、高さ調節機能を有するのが望ましい。前記支持台３０に関する実施形態を説明すると、図３のように受け台１０の一側に設置される支持部材３１と、この支持部材３１の内周面に沿って乗降できるように挿入される高さ調節部材３２と、前記支持部材３１に形成された貫通孔３３にねじ結合されて、前記高さ調節部材３２の一側面を固定する高さ調節ねじ３４からなる。
【００２１】
本発明における支持台３０の構造は、前記図３の実施形態の他にも高さ調節が可能な多様な構造を適用することができる。例えば、高さ調節部材３２の一面にラックギア（Ｒａｃｋ  ｇｅａｒ）を設置し、高さ調節ねじ３４にはピニオンギア（Ｐｉｎｉｏｎ  ｇｅａｒ）を設置して、この二つのギアが噛み合うように構成しての良く、前記ピニオンギア（Ｐｉｎｉｏｎ  ｇｅａｒ）にモーター（図示せず）を連結して、自動的に高さ調節ができるように構成しても良い。
【００２２】
最後に、前記赤外線照射部４０は、支持台３０の上段に設置され、前記回転パン２０に向かって赤外線を照射する赤外線ランプ４３が設置される。前記赤外線照射部４０の構造をより詳細に説明すると、赤外線ランプ４３を囲むランプ傘４２と、赤外線ランプ４３の上段、即ち、ランプ傘４２と赤外線ランプ４３との間に設置される断熱板４４と、前記ランプ傘４２の下段に分離可能に設置される耐熱ガラス板４５からなる。
【００２３】
前記ランプ傘４２は赤外線ランプ４３から放射される赤外線が回転パン２０、２０’の上に集中されるように集める機能を有する。また、前記赤外線ランプ４３は近赤外線ランプまたは遠赤外線ランプのうちいずれも使用できるが、望ましくは５００Ｗの近赤外線ランプを２つ設置する。このような赤外線ランプ４３は前記受け台１０に設置されたスイッチ１５により赤外線照射量が調節される。
【００２４】
前記断熱板４４は赤外線ランプ４３の熱が分散されないよう、遮断及び反射させる機能を有する。そして、耐熱ガラス板４５は食物の汁や油が跳ね上がって赤外線ランプ４３を汚染させるのを防止する機能を有し、さらには赤外線ランプ４３の照射される赤外線の明度を緩和する機能与えてユーザが前記赤外線のために視覚的に負担を感じないようにするのが望ましい。
【００２５】
以上、本発明の望ましい実施形態を説明したが、本発明の範囲は前記実施形態に限定されるのではない。当業者が本発明の目的と同じ範囲内で本発明の各構成要素、特に受け台１０と回転パン２０、２０’、支持台３０及び赤外線照射部４０の構造を一部変更することもできる。しかし、このような設計変更により本発明において全く予想できない新しい効果が現れない限り、本発明の権利範囲に属する。
【符号の説明】
【００２６】
１０      受け台
１１      軸孔
１２      油受け取り部材
１３      ベアリング
１５      スイッチ
２０、２０’      回転パン
２１      軸突起
３０      支持台
３１      支持部材
３２      高さ調節部材
３３      貫通孔
３４      高さ調節ねじ
４０      赤外線照射部
４２      ランプ傘
４３      赤外線ランプ
４４      断熱板
４５      耐熱ガラス板
６０      回動手段
６１      モーター
６２      駆動ギア
６３      従動ギア
６４      チェーン
【図１】
2011501095.tif 000003
【図２】
2011501095.tif 000004
【図３】
2011501095.tif 000005
【図４】
2011501095.tif 000006
【図５】
2011501095.tif 000007
【国際調査報告】
2011501095.tif 000008
2011501095.tif 000009
2011501095.tif 000010
2011501095.tif 000011